(57)【特許請求の範囲】
【請求項１】
それぞれが固有のアドレスを持つ複数の端末機能付き照明器具と；
前記端末機能付き照明器具の照明制御のための設定情報としてのグループ情報を記憶するとともに、前記端末機能付き照明器具を照明制御するときは、前記端末機能付き照明器具の固有のアドレスを指定して前記設定情報としてのグループ情報に基づき前記端末機能付き照明器具の照明制御を行う照明制御親局と；
前記照明制御親局と端末機能付き照明器具とを接続する伝送線と；
前記設定情報としてのグループ情報を前記端末機能付き照明器具に送信するリモコン装置とを備え；
前記端末機能付き照明器具は、前記リモコン装置から前記設定情報としてのグループ情報を受信したときはその設定情報としてのグループ情報とともに自己の固有のアドレスを前記伝送線を介して前記照明制御親局に伝送し、
前記照明制御親局は、前記端末機能付き照明器具から伝送されてきた設定情報としてのグループ情報を前記端末機能付き照明器具の固有のアドレスに対応付けて記憶することを特徴とする照明制御システム。
【請求項２】
前記照明制御親局は、前記端末機能付き照明器具から前記設定情報を受信して記憶したときは、前記端末機能付き照明器具にその旨の通知を行うことを特徴とする請求項１に記載の照明制御システム。
【請求項３】
前記端末機能付き照明器具は、それぞれ固有のアドレスが設定された複数の調光信号出力部を有することを特徴とする請求項１または２記載の照明制御システム。
【発明の詳細な説明】
【技術分野】
【０００１】
本発明は、屋内外の複数の照明負荷を点消灯及び調光制御する照明制御システムに関する。
【背景技術】
【０００２】
複数の照明負荷を点消灯及び調光制御する照明制御システムは、照明制御中央装置と制御端末器とを信号線を介して接続し、各々の制御端末器に固有のアドレスを予め設定しておき、照明制御中央装置から各々の制御端末器のアドレスを指定して、制御端末器に接続された照明負荷を点消灯制御や調光制御する。また、伝送線にはデータ設定器が接続され、このデータ設定器により、予め多数の照明負荷の中から選択した照明負荷を点滅制御するための制御グループまたは制御パターンなどの設定データが設定される。
【０００３】
データ設定器に代えて、リモコン操作スイッチをグループ制御あるいはパターン制御の設定器として使用し、個々の制御端末器に向けてその動作を設定し、各制御端末器は自局が所属するグループ番号あるいはパターン番号を記憶するようにし、照明器具が設置された現地場所で、個々の照明器具対応に点滅制御のデータ設定を可能としたものがある（例えば、特許文献１参照）。
【０００４】
また、伝送線を介して監視端末器や制御端末器を接続し、監視端末器の操作により制御端末器を制御するように構成した遠隔監視制御システムでは、ディップスイッチにより各端末器のアドレスを設定するが、端末器が天井や照明器具内壁面に設置されたときには、アドレスの設定や変更が大変であるので、ワイヤレス受信器を伝送線に接続し、ワイヤレス送信器を持って各室を回りながら、端末器のアドレス設定をするようにしたものがある（例えば、特許文献２参照）。
【先行技術文献】
【特許文献】
【０００５】
【特許文献１】特開平５−９１５７１号公報
【特許文献２】特開平９−３５８７５号公報
【発明の概要】
【発明が解決しようとする課題】
【０００６】
しかしながら、特許文献１のものでは、システム全体を管理する照明制御中央装置がないので、各制御端末器は、自局が所属するグループ番号あるいはパターン番号をそれぞれ記憶しなければならない。
【０００７】
また、特許文献２のものではワイヤレス信号を中継するためのワイヤレス受信器が必要となり、またワイヤレス受信器が設置されている周辺のみでしかワイヤレス送信器を使用できないので、端末器の設定作業ができる範囲が限られる。
【０００８】
本発明の目的は、端末機能付き照明器具の照明制御のための設定情報を照明制御親局に容易に設定できる照明制御システムを提供することである。
【課題を解決するための手段】
【０００９】
請求項１の発明に係る照明制御システムは、それぞれが固有のアドレスを持つ複数の端末機能付き照明器具と；前記端末機能付き照明器具の照明制御のための設定情報としてのグループ情報を記憶するとともに、前記端末機能付き照明器具を照明制御するときは、前記端末機能付き照明器具の固有のアドレスを指定して前記設定情報としてのグループ情報に基づき前記端末機能付き照明器具の照明制御を行う照明制御親局と；前記照明制御親局と端末機能付き照明器具とを接続する伝送線と；前記設定情報としてのグループ情報を前記端末機能付き照明器具に送信するリモコン装置とを備え；前記端末機能付き照明器具は、前記リモコン装置から前記設定情報としてのグループ情報を受信したときはその設定情報としてのグループ情報とともに自己の固有のアドレスを前記伝送線を介して前記照明制御親局に伝送し、前記照明制御親局は、前記端末機能付き照明器具から伝送されてきた設定情報としてのグループ情報を前記端末機能付き照明器具の固有のアドレスに対応付けて記憶することを特徴とする。
【００１０】
本発明及び以下の発明において、特に指定しない限り用語の意味及び定義は以下による。
【００１１】
端末機能付き照明器具とは制御端末器の機能を有した照明器具をいう。固有のアドレスとは、各々の端末機能付き照明器具を識別するために予め設定された固有のアドレスをいう。
【００１２】
照明制御親局とは、伝送線を介して各々の端末機能付き照明器具に接続され、端末機能付き照明器具のアドレスを指定して設定情報に基づき端末機能付き照明器具の照明制御を行うものである。端末制御機能付き照明器具の照明制御としては、例えば、点灯、消灯、調光制御などである。設定情報とは、端末機能付き照明器具の照明制御のための情報であり、例えば、グループにまとめて複数個の端末機能付き照明器具を一括して照明制御する場合のグループ情報や、複数個の端末機能付き照明器具の点灯状態をパターン化して照明制御する場合のパターン情報などである。
【００１３】
リモコン装置は、無線信号で設定情報を端末機能付き照明器具に送信して、端末機能付き照明器具経由で照明制御親局に設定情報を設定するものであり、端末機能付き照明器具は、リモコンから設定情報を受信したときはその設定情報とともに自己のアドレスを伝送線を介して照明制御親局に伝送する。これを受けて、照明制御親局は、端末機能付き照明器具から伝送されてきた設定情報を端末機能付き照明器具のアドレスに対応付けて記憶する。
【００１４】
請求項２の発明に係る照明制御システムは、請求項１の発明において、前記照明制御親局は、前記端末機能付き照明器具から前記設定情報を受信して記憶したときは、前記端末機能付き照明器具にその旨の通知を行うことを特徴とする。
【００１５】
その旨の通知とは、照明制御親局が端末機能付き照明器具から設定情報を受信して記憶したことの通知であり、例えば、所定時間だけ端末機能付き照明器具を通常の照明制御とは異なる点灯状態とすることを言う。通常の照明制御とは異なる点灯状態としては、所定時間だけ点灯させたり、所定時間だけ点滅点灯させることである。
【００１６】
請求項３の発明に係る照明制御システムは、請求項１または２の発明において、前記端末機能付き照明器具は、それぞれ固有のアドレスが設定された複数の調光信号出力部を有することを特徴とする。
【００１７】
複数の調光信号出力部とは、端末機能付き照明器具から調光信号出力線を引き出すための端子部をいう。調光信号出力線には端末機能付きでない照明器具が接続される。固有のアドレスとは調光信号出力部を識別するための予め定められたアドレスをいい、この固有のアドレスは端末機能付き照明器具に記憶されている。
【発明の効果】
【００１８】
請求項１の発明によれば、リモコン装置から端末機能付き照明器具に送信した設定情報は、照明制御親局に端末機能付き照明器具のアドレスに対応付けて記憶されるので、実際に設定情報を設定する端末機能付き照明器具の設置場所にて容易に設定作業を行えるため設定効率が向上する。
【００１９】
請求項２の発明によれば、照明制御親局は設定情報を受信して記憶したことを端末機能付き照明器具に通知するので、操作者は設定情報が照明制御親局に設定されたことを容易に確認できる。
【００２０】
請求項３の発明によれば、端末機能付き照明器具は、それぞれ固有のアドレスが設定された複数の調光信号出力部を有するので、通信機能を搭載しない照明器具を調光信号出力部に接続することで、端末機能付き調光器具とともに通信機能を搭載しない照明器具の使用も可能となる。このため、システム全体での照明器具のコストを大幅に削減できる。
【図面の簡単な説明】
【００２１】
【図１】本発明の実施の形態に係る照明制御システムの一例を示す構成図。
【図２】本発明の実施の形態に係る照明制御システムの端末機能付き照明器具の一例を示す構成図。
【図３】本発明の実施の形態に係る照明制御システムのリモコン装置から設定情報を照明制御親局に設定する場合の処理動作の一例を示す流れ図。
【図４】本発明の実施の形態に係る照明制御システムの端末機能付き照明器具の他の一例を示す構成図。
【図５】図４に示した端末機能付き照明器具を用いた場合の照明制御システムの一例を示す構成図。
【発明を実施するための形態】
【００２２】
以下、本発明の実施の形態を説明する。図１は本発明の実施の形態に係る照明制御システムの一例を示す構成図である。照明制御親局１１と複数の端末機能付き照明器具１２とは伝送線１３で接続されている。照明制御親局１１は、伝送線１３を介して各々の端末機能付き照明器具１２のアドレスを指定して、照明制御親局１１に予め記憶された設定情報に基づき各々の端末機能付き照明器具１２の照明制御を行う。端末機能付き照明器具１２はそれぞれ固有のアドレスを持っており、照明制御親局１１は、端末機能付き照明器具１２の固有のアドレスにより端末機能付き照明器具１２を識別する。
【００２３】
また、照明制御親局１１は、端末機能付き照明器具の照明制御のための設定情報を予め記憶している。例えば、一括してグループ制御を行う複数個の端末機能付き照明器具をグループ情報や、複数個の端末機能付き照明器具の点灯状態をパターン化して照明制御する場合のパターン情報を予め記憶している。照明制御親局１１は、端末機能付き照明器具１２を照明制御するときは、端末機能付き照明器具１２のアドレスを指定して、各々の端末機能付き照明器具１２に対する設定情報に基づき端末機能付き照明器具１２の照明制御を行う。
【００２４】
リモコン装置１４は、伝送線１３に接続された端末機能付き照明器具１２に対して無線信号で設定情報を送信して、端末機能付き照明器具１２の経由で照明制御親局１１に設定情報を設定するものである。
【００２５】
すなわち、リモコン装置１４から設定対象の端末機能付き照明器具１２に対して設定情報を送信する。端末機能付き照明器具１２は、リモコン装置１４から設定情報を受信すると、その設定情報とともに自己のアドレスを伝送線１３を介して照明制御親局１１に伝送する。照明制御親局１１は、端末機能付き照明器具１２から伝送されてきた設定情報を端末機能付き照明器具のアドレスに対応付けて記憶する。
【００２６】
図２は、端末機能付き照明器具１２の一例を示す構成図である。端末機能付き照明器具１２は、光源である照明負荷１５を有し、この照明負荷１５は商用電源からの電力で点灯制御部１６にて点灯制御される。また、制御部１７は、照明制御親局１１から伝送線１３を介して入力される伝送信号を伝送信号Ｉ／Ｆ部１８を介して入力し、その伝送信号に基づき点灯制御部１６を制御する。
【００２７】
一方、リモコン装置１４からの設定情報はリモコン信号受信部１９を介して制御部１７に入力され、制御部１７は設定情報を入力したときは、予め記憶部２０に記憶されている端末機能付き照明器具１２を識別するための固有のアドレスをその設定情報に付加して、伝送線１３を介して照明制御親局１１に送信する。記憶部２０は、電源が遮断されてもデータ（固有のアドレス）が消失しない不揮発性メモリで構成されている。
【００２８】
図３は、リモコン装置１４から設定情報を照明制御親局１１に設定する場合の処理動作の一例を示す流れ図である。図３では設定情報を設定する場合を示しており、グループ情報としてグループ番号５をアドレス１、２の端末機能付き照明器具１２に設定する場合を示している。
【００２９】
まず、リモコン装置１４をグループ情報の設定モードとし、設定対象のアドレス１の端末機能付き照明器具１２に対して、グループ割付したいグループ番号５を設定信号として送信する（Ｓ１）。アドレス１の端末機能付き照明器具１２は受信したグループ番号５と自己のアドレス１とをデータとした割付設定要求信号を伝送線１３を介して照明制御親局１１に送信する（Ｓ２）。照明制御親局１１は、グループ番号５の割付アドレス情報に端末機能付き照明器具１２のアドレス１を追加する（Ｓ３）。これにより、照明制御親局１１には、アドレス１の端末機能付き照明器具１２がグループ番号５として記憶され、割付が完了する。
【００３０】
グループ情報の割付が完了すると、照明制御親局１１は伝送線１３を介して設定対象であるアドレス１の端末機能付き照明器具１２に割付完了を通知する（Ｓ４）。割付完了の通知を受信したアドレス１の端末機能付き照明器具１２は、所定時間だけ照明負荷１５を点滅制御する（Ｓ５）。これにより、グループ情報を設定操作した操作員は、グループ情報（グループ番号５）が照明制御親局１１に記憶され設定されたことを確認できる。
【００３１】
設定対象のアドレス２の端末機能付き照明器具１２に対しても同様に、グループ番号５を設定信号として送信する（Ｓ６）。アドレス２の端末機能付き照明器具１２は受信したグループ番号５と自己のアドレス２とをデータとした割付設定要求信号を伝送線１３を介して照明制御親局１１に送信する（Ｓ７）。照明制御親局１１は、グループ番号５の割付アドレス情報に端末機能付き照明器具１２のアドレス２を追加する（Ｓ８）。これにより、照明制御親局１１には、アドレス２の端末機能付き照明器具１２がグループ番号５として記憶され、割付が完了する。
【００３２】
グループ情報の割付が完了すると、照明制御親局１１は伝送線１３を介して設定対象であるアドレス２の端末機能付き照明器具１２に割付完了を通知する（Ｓ９）。割付完了の通知を受信したアドレス２の端末機能付き照明器具１２は、所定時間だけ照明負荷１５を点滅制御する（Ｓ１０）。これにより、グループ情報を設定操作した操作員は、グループ情報（グループ番号５）が照明制御親局１１に記憶され設定されたことを確認できる。
【００３３】
次に、図４は、本発明の実施の形態に係る照明制御システムの端末機能付き照明器具の他の一例を示す構成図である。この他の一例は、図２に示した一例に対し、それぞれ固有のアドレスが設定された複数の調光信号出力部２１を追加して設けたものである。図４では３個の調光信号出力部２１が設けられた場合を示している。図２と同一要素には同一符号を付し重複する説明は省略する。
【００３４】
調光信号出力部２１は、端末機能付き照明器具１２から調光信号出力線を引き出すための端子部であり、調光信号出力線には端末機能付きでない照明器具が接続される。また、調光信号出力部２１は、それぞれ予め固有のアドレスが設定されており、この固有のアドレスは端末機能付き照明器具１２に記憶されている。従って、端末機能付き照明器具１２には、端末機能付き照明器具１２自体のアドレス及び端末機能付き照明器具１２の調光信号出力部２１のアドレスが記憶されている。
【００３５】
図５は、図４に示した他の一例の端末機能付き照明器具１２を用いた場合の照明制御システムの一例を示す構成図である。図５では、端末機能付き照明器具１２に端末機能付きでない照明器具２２がそれぞれ３個ずつ接続された場合を示している。
【００３６】
照明制御親局１１は、端末機能付き照明器具１２のアドレスあるいは調光信号出力部２１のアドレスを指定して、端末機能付き照明器具１２あるいは照明器具２２を照明制御する。これにより、調光信号出力部２１から調光信号出力線に接続された通信機能を搭載しない照明器具２２の使用も可能となる。従って、システム全体での照明器具のコストを大幅に削減できる。
【符号の説明】
【００３７】
１１…照明制御親局、１２…端末機能付き照明器具、１３…伝送線、１４…リモコン装置、１５…照明負荷、１６…点灯制御部、１７…制御部、１８…伝送信号Ｉ／Ｆ部、１９…リモコン信号受信部、２０…記憶部、２１…調光信号出力部、２２…端末機能付きでない照明器具
【図１】
0005505017.tif 000002
【図２】
0005505017.tif 000003
【図３】
0005505017.tif 000004
【図４】
0005505017.tif 000005
【図５】
0005505017.tif 000006